(57)【要約】【課題】磁性物を混在する原料や製品等から磁性物を磁着除去する異物除去装置内に収納されている異物除去装置におけるバーマグネット構造を提供する。【解決手段】この異物除去装置におけるバーマグネット構造のバーマグネット１はマグネット４等とからなる磁場部２とこれに連設されている非磁場部３を一体的に連結したものからなる。このバーマグネット１は非磁場部３を磁場部２と共にスクレーパすることにより磁場部２に磁着していた磁性物を完全に離脱除去することができる。【選択図】図１
2005218902.tif 000002
【特許請求の範囲】
【請求項１】
原料や製品内に混在している磁性物を離脱除去する手段を備える異物除去装置内に配置されるバーマグネット構造であって、該バーマグネット構造は、磁場部と非磁場部とからなり、該非磁場部が前記磁場部の端部に連設されるものからなり、その軸長が前記磁場部の端部まわりに発生している漏洩磁場の範囲を越える長さのものからなることを特徴とする異物除去装置におけるバーマグネット構造。
【請求項２】
前記非磁場部が、前記磁場部と別体構造のものからなり両者の外径が同一のものからなることを特徴とする請求項１に記載の異物除去装置におけるバーマグネット構造。
【請求項３】
前記異物除去装置には、前記バーマグネットに磁着した前記磁性物を離脱除去するためのスクレーパが設けられ、外スクレーパは前記磁性物の離脱除去時において前記磁場部及び非磁場部を双方に係合するものからなることを特徴とする請求項１に記載の異物除去装置におけるバーマグネット構造。
【発明の詳細な説明】
【技術分野】
【０００１】
本発明は、各種の原料や製品（原料等という）内に混在している磁性物を前記原料等を装置内に入出させながら除去する異物除去装置内に設けられるバーマグネット構造に係り、特に、磁着された磁性物を確実に離脱除去できる簡便構造の異物除去装置におけるバーマグネット構造に関する。
【背景技術】
【０００２】
各種原料等内には製造工程によっては磁性物が混在する場合が多く、このまま原料等を次工程側に送ると不惻の問題点が発生する恐れが多い。このため、従来より原料等を流通させる場合には異物除去装置を介在させて磁性物を除去する方法が取られている。この異物除去装置としては各種のものがあるが、例えば、「特許文献１」の如きものがあり、また、図５に模式的に示すような異物除去装置がある。これ等の装置には通常バーマグネットが用いられ、バーマグネットにより磁性物を磁着して除去する手段が一般に採用されている。このバーマグネットの構造としても各種のものがあるが、例えば、「特許文献２」に開示するものが挙げられる。
【特許文献１】特開２００２−１１３３８６号（図１）
【特許文献２】特許３１５７３８７号（図２）
【０００３】
「特許文献１」の特開２００２−１１３３８６号公報の「磁性物除去装置」における磁性物を磁着するためのバーマグネット構造は「特許文献２」に用いられているバーマグネット構造のものと相異する。そこで図５に示す模式的な異物除去装置１０ａより磁性物を除去する手段，方法について説明する。この異物除去装置１０ａに使用されるバーマグネット構造としては前記の「特許文献２」に開示するものが一例として用いられる。
【０００４】
「特許文献２」の特許第３１５７３８７号の「バーマグネット及びマグネットフィルタ」はその図２にバーマグネット（１）が開示されている。このバーマグネット（１）は、本体チューブ（２）の内部に中心孔（４ａ）を有するマグネット本体（３）及び極板（４）を隣接させて軸線方向に並べたものからなり、中心孔（４ａ）を貫通する連結シャフト（５）の両端のネジ部（５ａ）にエンドプラグ（６），（６）を螺着してマグネット本体（３）及び極板（４）を本体チューブ（２）内に固持する構造のものからなる。以上の構造により、原料等の内の磁性物をバーマグネット（１）で磁着することができる。
【発明の開示】
【発明が解決しようとする課題】
【０００５】
以上のバーマグネット（１）には軸線方向の外周のほぼ全部に磁性物が磁着するため、磁着した磁性物をそのままに放置しておくとバーマグネット（１）の磁着機能が低下する。そのため、磁着している磁性物を時折除去する必要がある。このため、磁着磁性物を除去するためのスクレーパやフィルタが用いられる。なお、これ等についても各種のものがあるが、図５の模式的な異物除去装置１０ａにより磁着磁性物の除去方法等について説明する。なお、それに先立って図５の異物除去装置１０ａの概要構造を説明する。
【０００６】
異物除去装置１０ａは、原料等１２の投入される入口１３や原料等１２中の磁性物１２ａを磁着除去された磁性物除去原料等１２ｂを次工程側に送るため出口１４を有するケース本体１５と、この内に収納されている複数本のバーマグネット１ａと、バーマグネット１ａの外周に磁着された磁性物１２ａをバーマグネット１ａから離脱除去するためのスクレーパ１１等を有するものからなる。なお、ケース本体１５にはスクレーパ１１により除去された磁性体１２ａを外部に放出するための廃出部１６が設けられている。また、バーマグネット１ａはシリンダ１７等によりその軸線方向に沿って往復動され、スクレーパ１１内を通過する構造からなる。
【０００７】
以上の構造の異物除去装置１０ａによるバーマグネット１ａに磁着した磁性物１２ａをバーマグネット１ａから離脱除去する方法を図６により説明する。バーマグネット１ａがその軸線方向に移動すると、バーマグネット１ａがスクレーパ１１に係合する。このイクレーパ１１の構造としては各種のものがあるが、このスクレーパ１１の機能によりバーマグネット１ａの外周に磁着していた磁性物１２ａは除去される。図６は磁性物１２ａが除去される最終的な状態を模式的に示したものである。前記のように、磁性物１２ａは大部分バーマグネット１ａの外周から除去されるが、図示のようなバーマグネット１ａの端部には漏洩磁場２２があり、どうしてもいくらかの磁性物１２ａが磁着する状態となり残る。この残った磁性物１２ａは再びバーマグネット１ａの外面に付着状態となり、バーマグネット１ａの磁性部１２ａの完全除去ができず、次第に残り磁性物が溜り、バーマグネット１ａの磁着機能を低下させる問題点がある。
【０００８】
本発明は、以上の事情に鑑みて発明されたものであり、従来使用されている異物除去装置の主体的構造を変えることなく、装置内に使用されているバーマグネットの構造を工夫することにより磁着した磁性物の完全除去ができ、かつバーマグネットの構造変化も簡便，安価にでき、新設品及び既設の異物除去装置への適用が可能な異物除去装置におけるバーマグネット構造を提供することを目的とする。
【課題を解決するための手段】
【０００９】
本発明は、以上の目的を達成するために、請求項１の発明は、原料や製品内に混在している磁性物を離脱除去する手段を備える異物除去装置内に配置されるバーマグネット構造であって、該バーマグネット構造は、磁場部と非磁場部とからなり、該非磁場部が前記磁場部の端部に連設されるものからなり、その軸長が前記磁場部の端部まわりに発生している漏洩磁場の範囲を越えるものからなることを特徴とする。
【００１０】
また、請求項２の発明は、前記非磁場部が、前記磁場部と別体構造のものからなり両者の外径が同一のものからなることを特徴とする。
【００１１】
また、請求項３の発明は、前記異物除去装置には、前記バーマグネットに磁着した前記磁性物を離脱除去するためのスクレーパが設けられ、外スクレーパは前記磁性物の離脱除去時において前記磁場部及び非磁場部を双方に係合するものからなることを特徴とする。
【発明の効果】
【００１２】
本発明の請求項１の異物除去装置におけるバーマグネット構造によれば、バーマグネットが磁場部とその端部に連設する非磁場部とから形成されることにより、バーマグネットの磁性物除去作業の最終時において磁性物が非磁場部と係合することにより磁着状態を保持できなくなり、全部離脱される。これにより完全な磁着磁性物の除去が可能になる。
【００１３】
また、本発明の請求項２の異物除去装置におけるバーマグネット構造によれば、このバーマグネット構造は、別体の非磁場部を従来構造の磁場部に連結させる簡便のものからなり、比較的容易に、かつ安価に実施できる。
【００１４】
また、請求項３の異物除去装置におけるバーマグネット構造によれば、スクレーパは磁場部と非磁場部に係合し、かつ請求項２に示されているように両者の外径は同一のため、スクレーパによる非磁場部のスクレーパが確実に行われる。これにより磁場部に残留している磁性体が完全に除去される。
【発明を実施するための最良の形態】
【００１５】
以下、本発明の異物除去装置におけるバーマグネット構造の実施の形態を図面を参照して詳述する。図１は図３に示す本発明用の異物除去装置１０内に設置されるバーマグネット１の全体構造を示す軸断面図である。このバーマグネット１は磁性物を磁着するための磁場部２と磁着できない非磁場部３とからなる。
【実施例１】
【００１６】
図１に示すように、磁場部２は、チタン等からなる本体チューブ９と、この内部に収納されているマグネット４等とからなる。一方、非磁場部３は非磁性体の筒状部材３ａからなり、磁場部２の一端に非磁性体６を介して密接する。
【００１７】
一方、磁場部２及び非磁場部３の両端にはエンドプラグ７，７が固定されている。磁場部２と非磁場部３とは密接した状態で固持される。なお、磁場部２の外径（本体チューブ９の外径）と非磁場部３の筒状部材３ａの外径とは同一径のものからなる。また、筒状部剤３ａは円筒に限らず任意の形状のものでよい。
【００１８】
一方、図１に示したバーマグネット１は図２に示すようにその一端部には漏洩磁場２２が発生している。この漏洩磁場２２の範囲を磁場部２の端部からａとすると、少なくとも非磁場部３の軸線方向の長さｂはａよりも長寸でなければ非磁場部としての機能が発揮できない。一般にａの寸法は５０ｍｍ程度であり、ｂは少なくとも５０ｍｍ以上の長さが必要である。
【００１９】
次に、以上の構造のバーマグネット１を内部に収納した異物除去装置１０の概要構造を図３により説明する。異物除去装置１０は、磁性物１２ａと磁性物除去原料等１２ｂとが混在している原料等１２の投入される入口１３と磁性物除去原料等１２ｂを次工程側に送るための出口１４を有するケース本体１５と、この内部に複数本収納されているバーマグネット１等とからなる。なお、ケース本体１５には仕切板１８やスクレーパ支持板１９等が固持され、スクレーパ支持板１９には複数本のバーマグネット１に対応するスクレーパ１１が固持されている。また、バーマグネット１は使用時には仕切板１８とケース本体１５の側壁１５ａ間に保持されている。また、仕切板１８とスクレーパ支持板１９との間には空間部２０が形成され、この空間部２０に廃出口１６に連通する。また、各バーマグネット１はロッド２１を介し、シリンダ１７と連結される。
【００２０】
以上の構造の異物除去装置１０にその入口１３から原料等１２が投入されると、その流通路に配置されているバーマグネット１の磁場部２に磁性物１２ａが磁着され、磁性物除去原料等１２ｂは落下しながら出口１４から排出される。以上により、磁性物１２ａの磁着が行われる。
【００２１】
次に、バーマグネット１に磁着している磁性物１２ａの除去方法を図３及び図４により説明する。シリンダ１７を作動することによりバーマグネット１はその軸線方向に沿って移動し、まず、磁場部２がスクレーパ１１に係合する。このスクレーパ１１の機能により磁場部２に磁着していた磁性物１２ａは離脱され、空間部２０内に落下し廃出部１６から排出される。しかしながら、前記のように、磁場部２の移動端側には若干の磁性物１２ａが残る状態になる。本発明のバーマグネット１は磁場部２に引き続き非磁場部３があり、これがスクレーパ１１に係合する。この非磁場部３にはもともと磁性物１２ａが磁着していないため、この非磁場部３のスクレーピングにより磁場部２に残っていた磁性物１２ａが完全に除去されて空間部２０に落下し廃出部１６から排出される。以下、シリンダ１７をもとの状態に戻すことにより、磁性物１２ａの磁着していないバーマグネット１を所定の位置に配置させることができる。
【００２２】
本発明の異物除去装置におけるバーマグネット構造は、以上のような構造のバーマグネット１を装置内に配置するだけの簡便のものからなり、容易に、かつ比較的安価に実施でき既設の異物装置にも適用可能である。また、バーマグネット１の構造を図１のものとしたが磁場部２や非磁場部３の構造については図１のものに限定するものではなく、同一技術的範疇のものがすべて適用されることは勿論である。
【産業上の利用の可能性】
【００２３】
本発明の異物除去装置におけるバーマグネット構造は、以上の説明のように、マグネットを用いた異物除去装置の全てに適用されるものであり、装置内に導入される原料等は磁性物を混在する恐れがあるものに対しすべて適用される。このため、利用範囲は極めて広い。例えば、原料等は粉体に限らず流体や流動体等に対しても適用される。
【図面の簡単な説明】
【００２４】
【図１】本発明の異物除去装置におけるバーマグネット構造に用いられるバーマグネットの全体概要構造を示す軸断面図。
【図２】本発明のバーマグネットの磁場部の端部に発生している漏洩磁場の状態を示す模式図。
【図３】図１のバーマグネットを配置した異物除去装置の概要全体構造を示す模式的構成図。
【図４】本発明の異物除去装置におけるバーマグネット構造を用いたバーマグネットの磁着磁性物の除去方法を説明するための模式図。
【図５】従来使用されている異物除去装置の概要構造を示す模式的構成図。
【図６】図５の異物除去装置による磁着磁性物の除去方法を説明するための模式図。
【符号の説明】
【００２５】
１      バーマグネット
２      磁場部
３      非磁場部
３ａ    筒状部材
４      マグネット
６      非磁性体
７      エンドプラグ
９      本体チューブ
１０    異物除去装置
１１    スクレーパ
１２    原料等（原料及び製品等）
１２ａ  磁性物
１２ｂ  磁性物除去原料等
１３    入口
１４    出口
１５    ケース本体
１５ａ  側壁
１６    廃出部
１７    シリンダ
１８    仕切板
１９    スクレーパ支持板
２０    空間部
２１    ロッド
２２    漏洩磁場
【図１】
2005218902.tif 000003
【図２】
2005218902.tif 000004
【図３】
2005218902.tif 000005
【図４】
2005218902.tif 000006
【図５】
2005218902.tif 000007
【図６】
2005218902.tif 000008